(57)【要約】【課題】  プラスチック材料から成り直径が異なる複数のタイプのネジと協働でき、製造と使用が簡単で便利なメス型留め具、および、それを有する閉鎖具を提供すること。【解決手段】  本発明のメス型留め具はプラスチック材料で形成され、中空部と、その中空部に突起していてネジに引っかけるための少なくとも２つの突起（２０）とを備えている。第１の本体（２）と第２の本体（３）の間に存在していて中空部を区画する接続部材を備えており、接続部材は、少なくとも１つの堅固なアーム（１０）と、少なくとも２つの弾性帯状部材（４０）とを備えていて、アームと帯状部材は互いに離れている。閉鎖具は、このようなメス型留め具とカバー（５１）を備える。【選択図】      図１
2006046657.tif 000002
【特許請求の範囲】
【請求項１】
中空部と、該中空部に突出する少なくとも２つの突起（２０）を有し、該突起（２０）により中空部に係合したネジ（６０）に取着せしめられる、プラスチック材料製のメス型留め具であって、
第１の端部にあって中央開口部（４）を有する第１の本体（２）と、
第１の端部とは反対側の第２の端部にある第２の本体（３）と、
第１の本体（２）と第２の本体（３）の間に存在していて中空部を区画形成する接続部材とを具備し、
中空部は、第１の端部で、第１の本体（２）の中央開口部（４）を介して開かれており、接続部材が少なくとも１つの堅固なアーム（１０）と、少なくとも２つの弾性帯状部材（４０）とを備えており、
アーム（１０）と帯状部材（４０）は互いに離れており、中空部と反対側で、それぞれの帯状部材（４０）は１つの突起（２０）と対向配置され、
それぞれの突起（２０）は第１の本体（２）に接続されていて、ネジ（６０）のネジ山に係合する歯状部を有する堅固な部分と、その歯状部の反対側にあってそれぞれの帯状部材（４０）と向かい合う突片（２２）とを備えている、
ことを特徴とする留め具。
【請求項２】
上記歯状部が、ネジ山に引っかけるのに適した互いに隣接した２つの角部（２４）を備える、ことを特徴とする請求項１に記載の留め具。
【請求項３】
それぞれの突起（２０）が第１の本体（２）とは反対の側に自由端を備え、少なくとも１つの突起は、その自由端が、別の突起の自由端に対して軸方向にずれている、ことを特徴とする請求項１または２に記載の留め具。
【請求項４】
それぞれの突起（２０）が、上記堅固な部分と第１の本体（２）の間に蝶番を形成する部分（２１）を有する、ことを特徴とする請求項１から３のいずれか１項に記載の留め具。
【請求項５】
正確に２つのアーム（１０）と２つの突起（２０）とを備え、そのアーム（１０）と突起（２０）が規則的に交互に配置されている、ことを特徴とする請求項１から４のいずれか１項に記載の留め具。
【請求項６】
第１の本体（２）が、中空部を向いた面取りされた縁部を開口部（４）に沿って備える、ことを特徴とする請求項１から５のいずれか１項に記載の留め具。
【請求項７】
それぞれのアーム（１０）から、第２の本体（３）に接続されたアーチ状のフランジ部（３４）が反対側のアーム（１０）に向かって延びており、それぞれの帯状部材（４０）がそれぞれのフランジ部（３４）に接続されている、ことを特徴とする請求項１から６のいずれか１項に記載の留め具。
【請求項８】
ネジに固定される閉鎖具であって、請求項１から７のいずれか１項に記載の留め具（１）と、カバー（５１）とを備えており、その留め具（１）とカバー（５１）が互いに係合する手段を備えている、ことを特徴とする閉鎖具。
【請求項９】
第２の本体（３）が接続部材（１０、４０）に対して放射方向に配置されたリムを備え、カバー（５１）が中央部に円筒部（５３）で囲まれた穴を備えており、該円筒部（５３）がリムに接触している、ことを特徴とする請求項８に記載の閉鎖具。
【請求項１０】
カバー（５１）が、留め具（１）よりも弾性のあるプラスチック材料でできている、ことを特徴とする請求項８または９に記載の閉鎖具。
【発明の詳細な説明】
【技術分野】
【０００１】
本発明は、プラスチック材料からなるメス型留め具に関する。
【背景技術】
【０００２】
中空部と、該中空部に突出する少なくとも２つの突起を有し、該突起により中空部に係合したネジに取着せしめられる、プラスチック材料製のメス型留め具が知られている。
【０００３】
特に特許文献１により、中空部に通じる中央開口部を有する本体を備えた留め具が公知になっている。この留め具は、開口部の近傍を足場にした３つの突起した突起を備えている。
突起の端部は弾性変形できるため、留め具をネジに噛み合わせることができる。
各突起の自由端は角部になっており、ネジのネジ山の凹部に位置する。
突起の補助部材として、ネジを取り付けたり外したりするための部材がその突起の上方に設けられている。
【０００４】
【特許文献１】アメリカ合衆国特許第５，０９８，２４２号
【発明の開示】
【発明が解決しようとする課題】
【０００５】
本発明は、プラスチック材料からなるこのタイプのメス型留め具であって、直径が異なる複数のタイプのネジと協働でき、しかも製造と使用が特に簡単かつ便利であるようなものを提供することを目的とする。
【課題を解決するための手段】
【０００６】
本発明によれば、中空部と、該中空部に突出する少なくとも２つの突起を有し、該突起により中空部に係合したネジに取着せしめられる、プラスチック材料製のメス型留め具であって、
第１の端部にあって中央開口部を有する第１の本体と、
第１の端部とは反対側の第２の端部にある第２の本体と、
第１の本体と第２の本体の間に存在していて中空部を区画形成する接続部材とを具備し、
中空部は、第１の端部で、第１の本体の中央開口部を介して開かれており、接続部材が少なくとも１つの堅固なアームと、少なくとも２つの弾性帯状部材とを備えており、
アームと帯状部材は互いに離れており、中空部と反対側で、それぞれの帯状部材は１つの突起と対向配置され、
それぞれの突起は第１の本体に接続されていて、ネジのネジ山に係合する歯状部を有する堅固な部分と、その歯状部の反対側にあってそれぞれの帯状部材と向かい合う突片とを備えている、ことを特徴とする留め具が提供される。
【０００７】
このようになっているため、ネジが留め具の中空部に係合するとき、突起は、弾性帯状部材に邪魔されることなくネジの直径に対応する距離だけ離れるため、係合力を適度な大きさにすることができる。引っ張って留め具を外そうとする場合には、帯状部材の少なくとも１つがしっかりと引っ張られ、それぞれの突起がネジに取り付いた状態が維持される。そのため外そうとする力に対する特に大きな抵抗力が得られる。
【０００８】
製造と使用が特に簡単で便利な本発明の特徴によれば、
歯状部は、ネジ山に引っかけるのに適した互いに隣接した２つの角部を備えており；
および／または
それぞれの突起は第１の本体とは反対の側に自由端を備え、少なくとも１つの突起は、その自由端が、別の突起の自由端に対して軸方向にずれており；
および／または
それぞれの突起は、堅固な部分と第１の本体の間に蝶番を形成する部分を持ち；
および／または
留め具は、正確に２つのアームと２つの突起とを備え、そのアームと突起は規則的に交互に配置されており；
および／または
第１の本体は、中空部を向いた面取りされた縁部を開口部に沿って備え；
および／または
それぞれのアームから、第２の本体に接続されたアーチ状のフランジ部が反対側のアームに向かって延びており、それぞれの帯状部材がそれぞれのフランジ部に接続されている。
【０００９】
本発明は、ネジに固定される閉鎖具であって、上記いずれかの特徴を有する留め具と、カバーとを備えており、その留め具とカバーが互いに係合する手段を備えていることを特徴とする閉鎖具も提案する。
この閉鎖具では、選択的に、
第２の本体が接続部材よりも径方向にはみ出したリムを備えており、カバーが中央部に円筒状のリブで囲まれた穴を備えており、そのリブが上記リムに接触しており；
および／または
カバーが、留め具よりも弾性のあるプラスチック材料でできている。
【００１０】
本発明の特徴と利点は、例示としての好ましい実施例に関して添付の図面を参照した以下の説明から明らかになろう。
【発明を実施するための最良の形態】
【００１１】
留め具１は、１つの部材から成形したプラスチック材料でできている。この留め具は全体として円柱形であり、第１の本体（ここではリング２）と第２の本体３の間に存在している。留め具１は中空部を備えている。
リング２は、ネジを中空部に向けて通すことのできる円形の中央開口部４を備えている。
リング２は、開口部４のまわりに広がる外面５を備えている。リング２はこの外面５に面取りされた２つの縁部を備えており、一方は開口部４に面していてネジが通りやすくし、他方は外側を向いていて留め具１を別の部材（例えばカバー）の中に挿入しやすくしている。
【００１２】
リング２は、互いに平行で直径を挟んで反対側にある２つの側方平坦部７を備えている。
外面５と反対側に環状の内面８が延びている。この内面８からは、２つの側方平坦部７に挟まれた途中の位置に堅固でほぼ平行六面体の２つのアーム１０が横断方向に延びている。これら２つのアーム１０は、リング２と第２の本体３の間に存在している。これらアーム１０はリング２を２つの部分に分割しているが、そのとき一方の部分が他方の部分よりも厚くなっている（図１）。内面８は明らかに異なる２つの高さを有するのに対し、外面５は平坦である。
【００１３】
内面８上には、側方平坦部７に挟まれた中央の位置に２つの突起２０が対向した状態で存在している。それぞれの突起２０は、側方平坦部７を備える縁部に近い内面８上に載っている。２つの突起２０は同じ形状、同じサイズである。
それぞれの突起２０は輪郭が一定であり、基部２１によって内面８に取り付けられている（図１）。この基部２１は細く、突起２０は基部２１から先が太くなっている。
突起２０の断面は大まかに４つの辺を有する。
【００１４】
基部２１は平坦な面から突起しており、この面はリング２の内面８と向かい合っている。基部２１は、第２の面と共通する縁部の近くまで延びている。
この第２の面は、中空部とは反対側の外側に広がっている。この第２の面は斜めであり、上記縁部から始まって留め具１の軸線に近づいていく。
【００１５】
この第２の面からは突片２２が突起している。この突片２２は、突起２０よりも長さが短い。その断面はほぼ三角形であり、突起した稜部２３は丸くなっている。正面図（図１）では、この突起した稜部２３が、突起２０の他の部分と比べて外側にはみ出している。
平坦な第３の面は基部２１とは反対側にあり、突片２２の１つの面と揃っている。
最後に第４の面は斜めであり、一般に第２の面と平行になっている。この第４の面は、第３の面と共通する縁部の近傍に三角形が隣り合った形状の２つの角部２４を備えている。
【００１６】
突起２０で突片２２と角部２４を備える部分は堅固である。
リング２は一方の突起２０の下にある部分が、他方の突起の下にある部分よりも厚くなっているため、突起２０は軸方向に互いにずれた位置にある。
第２の本体３は、厚い円板３０を備えている。その外面３１と側面に挟まれたコーナー部は丸まっているのに対し、その内面３２と側面に挟まれたコーナー部は直角にされている。
外面３１は、細長い切り欠き３３を備え、そこに留め具１をネジ留めする道具を挿入することができる。
【００１７】
第２の本体３は、さらに２つのフランジ部３４を備えている。それぞれのフランジ部３４は、第２の本体３と、アーム１０で第２の本体３に近い部分とに接続されている。２つのフランジ部３４は留め具１の軸線に対して対称である。
それぞれのフランジ部３４はアーチ状であり、反対側のアーム１０に近い位置まで延びている。
【００１８】
フランジ部３４は、アーム１０との接合部では、このアーム１０のほぼ半分の高さまで延びている。フランジ部３４の高さは、この接合部から離れるにつれてわずかな範囲で低くなっていった後、一定に留まる。
フランジ部３４で反対側のアーム１０と向かい合う部分は尖っている。
【００１９】
突起２０の正面に来るフランジ部３４の外側部分は肉厚部３５になっており、それがフランジ部３４の高さ全体にわたって続いている。肉厚部３５で第２の本体３とは反対側は面取りされた縁部になっており、その上に、その縁部と平行な細長い膨張部３６が延びている。同じ高さ位置において、対応するアーム１０がやはり同じ膨張部３６を備えている。
【００２０】
肉厚部３５の面取りされた縁部と、それと向かい合う側方平坦部７の間には、平行な２つの部分を有する弾性帯状部材４０が存在している。帯状部材４０は、比較的細いために弾性を有する。帯状部材４０は突片２２と同じ幅である。帯状部材４０は、留め具１の中空部とは反対側で外面に沿って延びている。
円板３０は、アーム１０、フランジ部３４、帯状部材４０に対してはみ出している。
【００２１】
本実施の形態では、カバー５１が留め具１に取り付けられて閉鎖具５０を形成している。このカバー５１は成形したプラスチック材料でできており、嵌め込み用円筒部５３から延びる丸い輪郭のつば５２を備えている。カバー５１は留め具１よりも弾性がある。
円筒部５３の高さは、円板３０の内面３２から膨張部３６までの距離に対応している。カバー５１の高さはここでは留め具１の高さよりも低くなっている。
【００２２】
カバー５１を留め具１に取り付けるとき、円筒部５３が円板３０のはみ出し部にぶつかり、膨張部３６がつば５２と円筒部５３の接合部の直下に位置する。
留め具１をネジ６０（図８または図９）に噛み合わせるとき、第１の本体２に加わる力が堅固なアームを通じて伝えられる。第１の突起２０の角部２４がネジ６０と接触する。回転により突起２０が離れるので、角部２４はネジ６０のネジ山の傾斜面を一段ずつ上がってゆくことができる。ネジ６０はすぐに第２の突起２０に到達し、同様にして離れる。
【００２３】
ネジ６０を挿入すると突起２０は待機状態のときよりも互いに離れるため、突片２２が弾性帯状部材４０にぶつかる。
角部２４がネジ山の頂部に到達してその位置を過ぎると、嵌め込み圧と弾性帯状部材４０の張力により、留め具１がネジ６０に少しだけ多く係合する。弾性帯状部材４０は突起２０をネジ山の谷部に押しやり、その結果として音が出る。留め具１を係合するとき、こうしたいろいろな段階が素早く実現されるため、連続した音が聞こえる。
【００２４】
突起２０の基部２１が弾性を有するため、留め具１は、図８と図９に示したようにいろいろな直径のネジ６０を受け入れることができる。
それぞれの突起は２つの角部を有するため、ネジ山はそれぞれの側で２つの角部２４の間に捕らえられる。ネジの取り外しは、突起の弾性にもかかわらず突起に対して直接行なうことができる。
【００２５】
留め具１がネジ６０と噛み合った状態では弾性帯状部材４０は引っ張られており、その弾性帯状部材４０によって、突起２０がネジ６０に取り付いた状態になっている。留め具１を外すことを試みて留め具１の軸線に沿って引っ張り力を及ぼすと、突起２０はそれに耐え、それと同時に帯状部材４０がさらに引っ張られる。そのため突起はよりしっかりとネジ６０に取り付いた状態になる。
【００２６】
側方からより大きな引っ張り力を及ぼすと、第１の本体２がアーム１０に対してわずかに回転し、この側の弾性帯状部材４０がより引っ張られる。帯状部材４０が対応する突起２０に及ぼす圧力はより大きくなる一方で、他方の突起２０は相変わらず角部２４とネジ山の協働と、引っ張られた状態の帯状部材４０とによって維持されている。
【００２７】
留め具１をネジ６０から外すには、利用者が例えば切り欠き３３に挿入した道具の助けを借りて留め具１のネジを外すだけでよい。
パネルの穴に対してネジ６０を使用する場合には、留め具１をカバー５１に取り付けて閉鎖具５０を形成した後、閉鎖具５０をネジ６０に固定する。すると閉鎖具５０がパネルの穴を隠す。
【００２８】
別の実施態様では、留め具１をカバー５１なしで、あるいは別の部材と組み合わせて利用することができる。
図示していない別の実施態様では、留め具１を構成するさまざまな部分の形状とサイズが異なっている。例えば、３つの突起と単一の堅固なアームを備えているようにすること、および／または突起で歯状部と突片を備える部分が、弾性のある細長い部分によって第１の本体の残りの部分に接続されているようにすることができる。
【００２９】
本発明が図示して説明した実施態様に限定されることはなく、あらゆる実施態様が本発明には含まれる。
【図面の簡単な説明】
【００３０】
【図１】本発明によるメス型留め具の正面図である。
【図２】図１にＩＩ−ＩＩで示した平面による断面図である。
【図３】図１にＩＩＩ−ＩＩＩで示した平面による断面図である。
【図４】図３にＩＶ−ＩＶで示した平面による断面図である。
【図５】この留め具にカバーが付いて本発明の閉鎖具を形成している状態の斜視図である。
【図６】このカバーをそのカバーの軸線を通る平面で切断した断面図である。
【図７】図５に示した閉鎖具の正面図である。
【図８】図３にＩＶ−ＩＶで示した平面による断面図であり、大きな直径のネジが図示されている。
【図９】図３にＩＶ−ＩＶで示した平面による断面図であり、小さな直径のネジが図示されている。
【符号の説明】
【００３１】
２    第１の本体
３    第２の本体
４    中央開口部
１０    アーム
２０    突起
２２    突片
２４    角部
３４    フランジ部
４０    帯状部材
５１    カバー
５３    円筒部
６０    ネジ
【図１】
2006046657.tif 000003
【図２】
2006046657.tif 000004
【図３】
2006046657.tif 000005
【図４】
2006046657.tif 000006
【図５】
2006046657.tif 000007
【図６】
2006046657.tif 000008
【図７】
2006046657.tif 000009
【図８】
2006046657.tif 000010
【図９】
2006046657.tif 000011